(57)【要約】【課題】制御信号の送受信を行う非接触通信における通信状態を考慮して調理動作を適切に行うこと。【解決手段】炊飯器（１）は、蓋体（２）に炊飯器（１）を操作する操作部が形成されており、上操作部に対して、炊飯器本体（３）から制御に必要な情報を非接触通信によって供給し、上記非接触通信の信号レベルが所定の値以下になったとき、上記調理器本体の調理動作を停止する強制停止部を備えている。【選択図】図１
2019154652.tif 000002
【特許請求の範囲】
【請求項１】
調理器本体と、上記調理器本体に蓋をする蓋体とを備えた調理器であって、
上記蓋体には、上記調理器を操作する操作部が形成されており、
上記操作部に対して、当該調理器本体から制御に必要な情報を非接触通信によって供給し、
上記非接触通信の信号レベルが所定の値以下になったとき、上記調理器本体の調理動作を停止する停止部を備えていることを特徴とする調理器。
【請求項２】
調理器本体と、上記調理器本体に蓋をする蓋体とを備えた調理器であって、
上記蓋体には、上記調理器を操作する操作部が形成されており、
上記操作部に対して、当該調理器本体から制御に必要な情報を非接触通信によって供給すると共に、当該操作部に必要な電源を上記調理器本体からワイヤレスで給電し、
上記非接触通信の信号レベルが所定の値以下になった場合、および、ワイヤレス給電が所定の給電状態を逸脱した場合の少なくとも一方の場合に、上記調理器本体の調理動作を停止する停止部を備えていることを特徴とする調理器。
【請求項３】
上記停止部によって調理動作が停止した場合、停止直前の調理動作を記憶部に記憶させ、上記停止部によって非接触通信の通信レベルが所定の値以下になって調理動作を停止してから所定時間以内に、上記非接触通信の通信レベルが所定の値よりも大きくなった場合、上記記憶部から停止直前の調理動作を読み出して調理を再開する調理制御部を備えていることを特徴とする請求項１または２に記載の調理器。
【請求項４】
上記停止部によって調理動作が停止した場合、停止直前の調理動作を記憶部に記憶させ、上記停止部によってワイヤレス給電が所定の給電状態を逸脱して調理動作を停止してから所定時間以内に、上記ワイヤレス給電の給電状態が所定の給電状態になった場合、上記記憶部に記憶された停止直前の調理動作を読み出して調理を再開する調理制御部を備えていることを特徴とする請求項２に記載の調理器。
【請求項５】
上記調理器本体に、上記操作部とは別に、当該調理器本体の調理動作を停止させる停止スイッチが設けられていることを特徴とする請求項１〜４の何れか１項に記載の調理器。
【発明の詳細な説明】
【技術分野】
【０００１】
本発明は、調理器に関し、特に内釜を備え、内釜に蓋をして使用する調理器に関する。
【背景技術】
【０００２】
従来、炊飯器本体と電源部とが分離可能な炊飯器として、特許文献１に開示された炊飯器が知られている。
【先行技術文献】
【特許文献】
【０００３】
【特許文献１】特開２０１７−７９２０７号公報（２０１７年４月２７日公開）
【発明の概要】
【発明が解決しようとする課題】
【０００４】
しかしながら、上述のような炊飯器では、炊飯器本体と電源部との間での制御信号等の送受信は非接触通信で行われている。このため、通信状態が悪いと制御信号の送受信が適切に行えないので、炊飯が適切に行うことができないという問題が生じる。
【０００５】
本発明は、制御信号の送受信を行う非接触通信における通信状態を考慮して調理動作を適切に行うことができる調理器を提供することを目的とする。
【課題を解決するための手段】
【０００６】
上記の課題を解決するために、本発明の一態様に係る調理器は、調理器本体と、上記調理器本体に蓋をする蓋体とを備えた調理器であって、上記蓋体には、上記調理器を操作する操作部が形成されており、上記操作部に対して、当該調理器本体から制御に必要な情報を非接触通信によって供給し、上記非接触通信の信号レベルが所定の値以下になったとき、上記調理器本体の調理動作を停止する停止部を備えていることを特徴としている。
【発明の効果】
【０００７】
本発明の一態様によれば、制御信号の送受信を行う非接触通信における通信状態を考慮して調理動作を適切に行うことができる。
【図面の簡単な説明】
【０００８】
【図１】本発明の実施形態１に係る炊飯器の外観を示す概略斜視図である。
【図２】図１に示す炊飯器の蓋本体を取り外した状態を示す概略斜視図である。
【図３】図１に示す炊飯器の蓋本体を構成する外蓋と内蓋を示す概略斜視図である。
【図４】図１に示す炊飯器のＡＡ線矢視断面図である。
【図５】図１に示す炊飯器のＢＢ線矢視断面図である。
【図６】図１に示す炊飯器の蓋本体側の制御回路の概略ブロック図である。
【図７】図１に示す炊飯器の調理器本体側の制御回路の概略ブロック図である。
【発明を実施するための形態】
【０００９】
〔実施形態１〕
以下、本発明の一実施形態について、詳細に説明する。
【００１０】
（調理器の概略）
図１は、実施形態１に係る炊飯器１（調理器）の蓋体２を閉じた状態を示す斜視図である。図２は、炊飯器１の蓋体２を開いた状態を示す斜視図である。図３は、蓋体２の分解斜視図である。図４および図５は、図１の炊飯器１の内部構造を示す縦断面図である。これらの図を参照して、炊飯器１の構造について説明する。
【００１１】
図１に示すように、炊飯器１は、炊飯器本体（調理器本体）３と、この炊飯器本体３の上部に取り付けられた蓋体２とを備えている。蓋体２は、図２に示すように、当該炊飯器本体３から完全に分離できるようになっている。この炊飯器１は、炊飯のみならず、煮物や蒸し物などといった調理にも使用できるように構成されている。なお、炊飯器本体３には、図示しないが、コードリールに引き出し可能に巻き付けられている電源コードが設けられている。
【００１２】
蓋体２には、炊飯器１の炊飯操作を行うための操作部２３が設けられている。操作部２３は、タッチパネル式の液晶表示パネルで構成されている。これにより、ユーザは、液晶表示パネルに表示された操作ボタン等をタッチ操作することで、炊飯器１の炊飯操作を行うことができる。なお、タッチパネル式の液晶表示パネルの代わりに、タッチパネル式の有機ＥＬパネルを用いてもよい。また、操作部２３は、蓋体２の表面に操作ボタンと情報を表示するための表示パネルとを設けたものであってもよい。
【００１３】
操作部２３には、電力の供給およびが炊飯器１を制御するための制御信号の送受信が必要である。電力の供給は、炊飯器本体３から行われる。また、制御信号の送受信は、蓋体２と炊飯器本体３との間で行われる。一般的には、これらの電力供給と制御信号の送受信は有線で行われるが、本実施形態に係る炊飯器１では、図２に示すように、蓋体２が炊飯器本体３から完全に分離できるように構成されているため、ワイヤレス給電による給電、非接触通信による調理信号等の制御信号の送受信を行うようになっている。ワイヤレス給電は、蓋体２のワイヤレス給電部５ａと炊飯器本体３のワイヤレス給電部５ｂとの間で行われ、非接触通信は、蓋体２の非接触通信部６ａと炊飯器本体３の非接触通信部６ｂとの間で行われる。ワイヤレス給電、非接触通信の詳細は後述する。
【００１４】
このように、ワイヤレス給電、非接触通信を実現することで、従来必要であった配線を無くすことができるので、配線によるデザインの規制を無くすことができる。従って、デザイン優先の炊飯器１を実現することが可能となる。
【００１５】
（蓋体２）
蓋体２は、図２および図３に示すように、炊飯器本体３の上面を覆う外蓋２１と、内釜４に蓋をする内蓋２２とで構成されている。ここで、内蓋２２は、図３に示すように、外蓋２１と完全に独立して形成されており、当該外蓋２１を炊飯器本体３から取り外しときには、図２に示すように、内釜４に蓋をした状態を維持したままとなる。
【００１６】
蓋体２は、炊飯器本体３に蓋をする際には、まず、内蓋２２によって内釜４に蓋をして、その上から外蓋２１によって当該内蓋２２を覆うようにセットする。内蓋２２の表面には、ユーザが摘まむことができるように略円柱状に突起したつまみ部２２ａが形成されている。また、外蓋２１には、内蓋２２が内釜４に蓋をした状態で、炊飯器本体３の所定の位置にセットされたときに、当該内蓋２２のつまみ部２２ａが嵌まり込む開口部２１ａが形成されている。つまり、蓋体２を炊飯器本体３にセットする際、内釜４に蓋をした内蓋２２のつまみ部２２ａに、外蓋２１の開口部２１ａが嵌まり込むようにする。この位置を、蓋体２が炊飯器本体３にセットされた適正位置とする。
【００１７】
通常、炊飯器１によって炊飯を開始すれば、内釜４内で蒸気が発生する。内釜４内で発生した蒸気を逃がすために、蓋体２には蒸気孔が設けられる。具体的には、内蓋２２のつまみ部２２ａに蒸気口２２ｃを形成すれば、つまみ部２２ａを露出させる外蓋２１の開口部２１ａから蒸気を逃がすことができる。つまり、蓋体２において、外蓋２１に形成された開口部２１ａが炊飯器１における蒸気口として機能する。
【００１８】
従って、上記構成のように、内蓋２２に設けられ、上記外蓋２１に形成された開口部２１ａから露出するつまみ部２２ａに内釜４で発生した蒸気を抜くための蒸気口２１ｃが形成されていることで、内蓋２２、外蓋２１に蒸気を逃がすための蒸気口を、別途設ける必要がなくなる。
【００１９】
また、外蓋に形成する開口部の数を減らすことができるので、調理器本体の見栄えもよくなる。
【００２０】
蓋体２の蒸気口である開口部２１ａの近傍には、炊き方や調理名などを液晶で表示し、操作指示をタッチで行わせる操作部２３が設けられている。この操作部２３に表示される情報およびタッチしたタッチ信号の伝送は、上述したように蓋体２と炊飯器本体３との間における非接触通信によって行われる。また、操作部２３への電力の供給は、上述したように蓋体２と炊飯器本体３との間におけるワイヤレス給電によって行われる。
【００２１】
（ワイヤレス給電、非接触通信）
ワイヤレス給電を実現するために、蓋体２にはワイヤレス給電部５ａ、炊飯器本体３にはワイヤレス給電部５ｂがそれぞれ設けられている。ワイヤレス給電部５ａとワイヤレス給電部５ｂとは、図４に示すように、蓋体２が炊飯器本体３の所定の位置にセットされた状態で炊飯器本体３側から蓋体２へ電力が供給できる位置に設けられている。
【００２２】
一方、非接触通信を実現するために、蓋体２には非接触通信部６ａ、蓋体２には非接触通信部６ｂがそれぞれ設けられている。非接触通信部６ａと非接触通信部６ｂとは、図４に示すように、蓋体２が炊飯器本体３の所定の位置にセットされた状態で蓋体２と炊飯器本体３との間で情報の送受信ができる位置に設けられている。
【００２３】
本実施形態では、ワイヤレス給電として電磁誘導方式を用い、非接触通信として赤外線通信（ＩＲ）送信方式を用いる。しかしながら、ワイヤレス給電、非接触通信として、これらの方式に限定されるものではなく、蓋体２が炊飯器本体３の所定の位置にセットされた状態で給電および情報の送受信が無線によって適切に行える方式であれば、どのような方式であってもよい。
【００２４】
内釜４内には、図４および図５に示すように、当該内釜４を誘導加熱するための誘導コイル７が設置されている。なお、誘導コイル７は、加熱部の一例である。
【００２５】
内釜４には、内容物の一例としての米や水などが収容される。内釜４は、例えばアルミ
ニウムなどの高熱伝導材料で形成され、その外面に加熱効率を向上させる例えばステンレスなどの磁性体が貼り付けられる一方、内面に内容物の付着を防ぐためのフッ素樹脂がコーティングされている。
【００２６】
（制御系）
炊飯器１の制御系について説明する。図６は、蓋体２に設けられた制御回路の構成を示すブロック図である。図７は、炊飯器本体３に設けられた制御回路の構成を示すブロック図である。
【００２７】
まず、蓋体２の制御回路について説明する。図６に示すように、蓋体２は、制御系の主要部として、ＣＰＵ１０と、ＲＯＭ（Read Only Memory）１４と、ＲＡＭ（Random Access Memory）１５とを備えている。また、ＣＰＵ１０は、調理制御部１３、非接触通信部６ａ、ワイヤレス給電部５ａ、通信状態判定部１１、電力測定部１２、操作部２３が接続されている。
【００２８】
ＣＰＵ１０は、ＲＯＭ１４に格納された制御プログラムを実行することによって、各部を制御する。具体的には、ＣＰＵ１０は、操作部２３の表示制御、操作の受け付け、調理制御部１３への調理制御の指示をする制御、通信状態判定部１１による非接触通信部６ａの通信状態の判定、電力測定部１２によるワイヤレス給電部５ａの給電状態の判定を行う制御などを行う。
【００２９】
次に、炊飯器本体３の制御回路について説明する。図７に示すように、炊飯器本体３は、制御系の主要部として、ＣＰＵ４０と、ＲＯＭ４４、ＲＡＭ４５とを備えている。また、ＣＰＵ４０は、非接触通信部６ｂ、ワイヤレス給電部５ｂ、通信状態判定部４１、誘導コイル７、強制停止部４６が接続されている。
【００３０】
ＣＰＵ４０は、ＲＯＭ４４に格納された制御プログラムを実行することによって、各部を制御する。具体的には、ＣＰＵ４０は、蓋体２の調理制御部１３からの指示信号を非接触通信部６ｂによって受付けることで、誘導コイル７のオン・オフ制御、通信状態判定部４１による非接触通信部６ｂの通信状態の判定制御、ワイヤレス給電部５ｂの給電制御、強制停止部４６による強制停止制御などを行なう。
【００３１】
ワイヤレス給電部５ｂには、電源４２が接続されている。電源４２は、炊飯器本体３に内蔵されたコードリールに引き出し可能に巻き付けられている電源コードを家庭内のコンセントに差し込むことによって実現している。
【００３２】
また、強制停止部４６には、停止スイッチ４７が接続されている。停止スイッチ４７をオンすることで、蓋体２の操作部２３による炊飯器本体３の制御が不能になった場合であっても、強制的に調理動作を停止させることができる。この停止スイッチ４７は、炊飯器１の操作部２３に設けられている電源のＯＮ・ＯＦＦ用のスイッチとは別に設けられ、通常の使用ではユーザが容易に触れない位置（例えば炊飯器本体３の裏側など）に形成されている。
【００３３】
（蓋ずれの通知）
蓋体２を炊飯器本体３に装着する際に、始めに内蓋２２によって炊飯器本体３に収容されている内釜４に蓋をする。そして、内蓋２２を覆うようにして外蓋２１を炊飯器本体３の所定の位置にセットする。外蓋２１は、炊飯器本体３に対して所定の位置に適切にセットされないと、非接触通信、ワイヤレス給電を適切に行うことができない。このため、図６に示すように、蓋体２の制御回路には、非接触通信の通信状態を判定する通信状態判定部１１、ワイヤレス給電の給電状態を判定する電力測定部１２が設けられている。ここで、ＣＰＵ（蓋ずれ判定部）１０は、通信状態判定部１１および電力測定部１２による判定結果が全て適切な内容であれば問題は無い、一部でも判定結果が不適切な内容（通信エラー、給電エラー）であれば、ユーザにその旨を伝えるエラー通知を行う。具体的には、操作部２３にエラー表示、例えば「蓋体が適切な位置にありません」という内容を表示させたり、音声にて上記の内容をアナウンスしたり、警告音によって通知したりすることが考えられる。
【００３４】
ここで、通信状態判定部１１、電力測定部１２においては、何れも非接触通信部６ａ、ワイヤレス給電部５ａが受信した信号によって通信状態や給電状態を判定している。このため、非接触通信部６ａ、ワイヤレス給電部５ａの受信面・送信面が料理の汁などが付着して汚れている場合、信号の送受信を適切に行うことができない。つまり、蓋体２が炊飯器本体３に対して適切な位置にセットされていても、通信状態判定部１１、電力測定部１２による判定結果が適切な内容でないと判定され、ユーザに「蓋体が適切な位置にありません」という通知をしてしまう。
【００３５】
このような事態を回避するために、本実施形態では、蓋体２の非接触通信部６ａの送信部と、受信部と、ワイヤレス給電部５ａとを距離を離して設け、これに合わせて、炊飯器本体３の非接触通信部６ｂの送信部と、受信部と、ワイヤレス給電部５ｂとを距離を離して設ける。これにより、３箇所で蓋体２ずれの検知を行うことが可能となる。
【００３６】
例えば、３箇所のうち、１箇所の通信エラー（給電エラー）であれば、その箇所のみ食材や汁物による汚れが原因の通信エラーであると判定し、２箇所以上の通信エラー（給電エラー）であれば、蓋体２が適切な位置にセットされていないと判定し、その旨をユーザに通知する。
【００３７】
（効果）
上記構成の炊飯器１によれば、蓋体２を炊飯器本体３から取り外したとき、外蓋２１のみが炊飯器本体３から取り外され、内蓋２２は内釜４に蓋をした状態を維持している。従って、外蓋２１を開放したときに、内蓋２２表面の結露水を内釜４や内釜４周囲に垂らすおそれがない。
【００３８】
しかも、上記構成の炊飯器１によれば、蓋体２と炊飯器本体３との間に給電用配線、信号送信用配線が不要となるため、配線の経年劣化による断線等の問題が生じない。また、蓋体２を炊飯器本体３から完全に取り外すことができるので、炊飯器１の清掃が容易にできる。しかも、従来のように、蓋体と炊飯器本体との間に必要な配線によるデザインの制約を受けないため、デザインを優先した炊飯器を実現することが可能となる。
【００３９】
前記実施形態１では、図７に示す停止スイッチ４７をユーザが操作することで炊飯動作を強制停止する例について説明した。以下の実施形態２，３では、炊飯器の炊飯時に、給電状態、通信状態を利用して、炊飯動作の停止制御を行う例について説明する。また、下記の実施形態２，３では、蓋体は、前記実施形態１と同様に、外蓋と内蓋が完全に分離できるようにしてもよいし、内蓋が外蓋に着脱自在に設けられていてもよい。また、外蓋の内面が内蓋を兼用するような蓋体であってもよい。
【００４０】
〔実施形態２〕
以下、本発明の一実施形態について、詳細に説明する。炊飯器１の構成は、前記実施形態１と同じである。異なるのは、蓋体２の非接触通信部６ａと炊飯器本体３の非接触通信部６ｂによる非接触通信の通信状態を利用して炊飯器１の炊飯動作の停止制御を行う点である。
【００４１】
（炊飯動作停止制御）
炊飯器１による炊飯動作が開始されると、蓋体２に設けられた通信状態判定部１１によって、非接触通信部６ａによる通信状態を判定する。同時に、炊飯器本体３に設けられた通信状態判定部４１によっても、非接触通信部６ｂによる通信状態を判定する。
【００４２】
具体的には、通信状態判定部１１は、非接触通信部６ａが受信した信号の信号レベルが、所定の値以下であるか否かを判定する。同時に、通信状態判定部４１によっても、非接触通信部６ｂが受信した信号の信号レベルが、所定の値以下であるか否かを判定する。ここで、通信状態判定部１１および通信状態判定部４１によって、信号レベルが所定の値以下であると判定された場合、非接触通信部６ａと非接触通信部６ｂとの間で適切に通信が行えていないと判定される。この場合、炊飯器本体３において現在進行中の炊飯動作を制御するための制御信号が当該炊飯器本体３に適切に行えないため、このまま、炊飯動作を進行させると、炊飯がうまくできない。従って、炊飯器本体３のＣＰＵ４０は、強制停止部（停止部）４６に指示を与えて炊飯動作を強制的に停止させる。
【００４３】
すなわち、上記構成の炊飯器１では、炊飯動作中に、制御信号を送受信する非接触通信の通信状態が所定の通信状態から逸脱したとき、すなわち非接触通信における信号の信号レベルが所定値以下になったとき、強制停止部４６によって、上記炊飯器本体３の炊飯調理動作を停止するようにしている。
【００４４】
これにより、炊飯動作中に、非接触通信が適切に行えない場合、炊飯器本体３のみが動作を継続しないようにできる。
【００４５】
なお、非接触通信の通信状態の確認は、炊飯動作中に、数秒間隔で行う。しかしながら、通信状態の確認は、定期的に行うことに限定されるものではなく、連続して行ってもよいし、不定期に行ってもよい。
【００４６】
また、炊飯動作中に通信状態が悪くなり、炊飯動作を停止させる場合には、使用者に対して、警告音などにより報知する。
【００４７】
炊飯器１の故障により非接触通信の復帰が難しい場合は、炊飯器本体３における炊飯動作を完全に停止させる必要がある。しかしながら、非接触通信が一時的に不通になり、直ぐに復帰するような場合には、炊飯器本体３における炊飯動作を再開してもよい。この場合には、炊飯器本体３における炊飯動作の停止直前の状態（炊飯プログラムの途中）から再開させる。炊飯動作の停止直前の状態は、ＣＰＵ４０のＲＡＭ４５に格納しておき、再開時に読み出すようにすればよい。
【００４８】
ここまでの説明では、炊飯器本体３の炊飯動作を停止させるために使用するのは、非接触通信の通信状態であるが、以下の実施形態３では、ワイヤレス給電の給電状態を使用して炊飯動作を停止させる例について説明する。
【００４９】
〔実施形態３〕
以下、本発明の一実施形態について、詳細に説明する。炊飯器１の構成は、前記実施形態１と同じである。異なるのは、蓋体２のワイヤレス給電部５ａと炊飯器本体３のワイヤレス給電部５ｂによる給電状態を利用して炊飯器１の炊飯動作の停止制御を行う点である。
【００５０】
（炊飯動作停止制御）
炊飯器１による炊飯動作が開始されると、蓋体２に設けられた電力測定部１２によって、ワイヤレス給電部５ａとワイヤレス給電部５ｂとを用いたワイヤレス給電の給電状態を判定する。
【００５１】
具体的には、電力測定部１２は、ワイヤレス給電部５ａが受信した電力レベルが、所定の値以下であるか否かを判定する。ここで、電力測定部１２によって、電力レベルが所定の値以下であると判定された場合、ワイヤレス給電が適切に行えていないと判定される。この場合、蓋体２の操作部２３に十分な電力が供給されないため、炊飯器本体３に対して適切な指示を行うことができない。
【００５２】
従って、蓋体２から炊飯器本体３に対して、ワイヤレス給電が適切に行えていなことを示す信号を操作部２３から炊飯器本体３のＣＰＵ４０に送り、当該ＣＰＵ４０は、強制停止部（停止部）４６に指示を与えて炊飯動作を強制的に停止させる。
【００５３】
すなわち、上記構成の炊飯器１では、炊飯動作中に、ワイヤレス給電の給電状態が所定の給電状態から逸脱したとき、すなわちワイヤレス給電における電力レベルが所定値以下になったとき、強制停止部４６によって、上記炊飯器本体３の炊飯調理動作を停止するようにしている。
【００５４】
これにより、炊飯動作中に、ワイヤレス給電が適切に行えない場合、炊飯器本体３のみが動作を継続しないようにできる。
【００５５】
なお、ワイヤレス給電の給電状態の確認は、炊飯動作中に、数秒間隔で行う。しかしながら、給電状態の確認は、定期的に行うことに限定されるものではなく、連続して行ってもよいし、不定期に行ってもよい。
【００５６】
また、炊飯動作中に給電状態が悪くなり、炊飯動作を停止させる場合には、使用者に対して、警告音などにより報知する。
【００５７】
炊飯器１の故障により非接触通信の復帰が難しい場合は、炊飯器本体３における炊飯動作を完全に停止させる必要がある。しかしながら、ワイヤレス給電が一時的に不通になり、直ぐに復帰するような場合には、炊飯器本体３における炊飯動作を再開してもよい。この場合には、炊飯器本体３における炊飯動作の停止直前の状態（炊飯プログラムの途中）から再開させる。炊飯動作の停止直前の状態は、ＣＰＵ４０のＲＡＭ４５に格納しておき、再開時に読み出すようにすればよい。
【００５８】
なお、前記実施形態１〜３において、本発明の調理器の一例として炊飯器について説明したが、これに限定されるものではなく、他の加熱調理器であってもよく、また、加熱しない調理器、例えば保温器であってもよい。
【００５９】
〔ソフトウェアによる実現例〕
炊飯器１の制御ブロック（特に蓋ずれ検知回路）は、集積回路（ＩＣチップ）等に形成された論理回路（ハードウェア）によって実現してもよいし、ＣＰＵ（Central Processing Unit）を用いてソフトウェアによって実現してもよい。
【００６０】
後者の場合、炊飯器１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６１】
〔まとめ〕
本発明の態様１に係る調理器は、調理器本体（炊飯器本体３）と、上記調理器本体（炊飯器本体３）に蓋をする蓋体２とを備えた調理器（炊飯器１）であって、上記蓋体２には、上記調理器（炊飯器１）を操作する操作部２３が形成されており、上記操作部２３に対して、当該調理器本体（炊飯器本体３）から制御に必要な情報を非接触通信によって供給し、上記非接触通信の信号レベルが所定の値以下になったとき、上記調理器本体（炊飯器本体３）の調理動作を停止する停止部（強制停止部４６）を備えていることを特徴としている。
【００６２】
上記の構成によれば、調理器による調理中に、非接触通信が適切に行えない場合、調理器本体のみが動作を継続しないようにできる。これにより、制御に必要な情報（制御信号）の送受信を行う非接触通信における通信状態を考慮して調理動作を適切に行うことができる。
【００６３】
本発明の態様２に係る調理器は、上記態様１において、調理器本体（炊飯器本体３）と、調理器本体（炊飯器本体３）に蓋をする蓋体２とを備えた調理器（炊飯器１）であって、上記蓋体２には、上記調理器（炊飯器１）を操作する操作部２３が形成されており、上操作部２３に対して、当該調理器本体（炊飯器本体３）から制御に必要な情報を非接触通信によって供給すると共に、当該操作部２３に必要な電源を上記調理器本体（炊飯器本体３）からワイヤレスで給電し、上記非接触通信の信号レベルが所定の値以下になった場合、上記ワイヤレス給電が所定の給電状態を逸脱した場合の少なくとも一方の場合に、上記調理器本体（炊飯器本体３）の調理動作を停止する停止部（強制停止部４６）を備えていることを特徴としている。
【００６４】
上記の構成によれば、調理器による調理中に、非接触通信が適切に行えない場合、調理器本体のみが動作を継続しないようにできる。また、ワイヤレス給電の給電が適切に行えない場合、調理器本体のみが動作を継続しないようにできる。これにより、ワイヤレス給電の給電状態も調理動作の停止の判断に用いることで、非接触通信が正常であっても、ワイヤレス給電が適切でない場合も考慮して調理動作を適切に行うことができる。
【００６５】
本発明の態様３に係る調理器は、上記態様１または２において、上記停止部によって調理動作が停止した場合、停止直前の調理動作を記憶部（ＲＡＭ１５）に記憶させ、上記停止部（強制停止部４６）によって非接触通信の通信レベルが所定の値以下になって調理動作を停止してから所定時間以内に、上記非接触通信の通信レベルが所定の値よりも大きくなった場合、上記記憶部（ＲＡＭ１５）から停止直前の調理動作を読み出して調理を再開する調理制御部１３を備えていてもよい。
【００６６】
上記構成によれば、非接触通信の通信不良による調理動作が停止した場合であっても、短時間で通信が再開されれば、停止直前の調理プログラムを再開することで、調理を適切に完了させることができる。
【００６７】
本発明の態様４に係る調理器は、上記態様２において、上記停止部によって調理動作が停止した場合、停止直前の調理動作を記憶部（ＲＡＭ１５）に記憶させ、上記停止部（強制停止部４６）によってワイヤレス給電が所定の給電状態を逸脱して調理動作を停止してから所定時間以内に、上記ワイヤレス給電の給電状態が所定の給電状態になった場合、上記記憶部（ＲＡＭ１５）から停止直前の調理動作を読み出して調理を再開する調理制御部１３を備えていてもよい。
【００６８】
上記構成によれば、ワイヤレス給電不良による調理動作が停止した場合であっても、短時間でワイヤレス給電が復旧されれば、停止直前の調理プログラムを再開することで、調理を適切に完了させることができる。
【００６９】
本発明の態様５に係る調理器は、上記態様１〜４の何れか１態様において、上記調理器本体（炊飯器本体３）に、上記操作部２３とは別に、当該調理器本体（炊飯器本体３）の調理動作を停止させる停止スイッチ４７が設けられていてもよい。
【００７０】
上記構成によれば、操作部とは別に、当該調理器本体の調理動作を停止させる停止スイッチが設けられていることで、蓋体の操作部による調理器本体の制御が不能になった場合であっても、強制的に調理動作を停止させることができる。
【００７１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７２】
１  炊飯器（調理器）
２  蓋体
３  炊飯器本体（調理器本体）
４  内釜
５ａ、５ｂ  ワイヤレス給電部
６ａ、６ｂ  非接触通信部
１０  ＣＰＵ
１１  通信状態判定部
１２  電力測定部
１３  調理制御部
１４  ＲＯＭ
１５  ＲＡＭ（記憶部）
２１  外蓋
２３  操作部
４０  ＣＰＵ
４１  通信状態判定部
４２  電源
４５  ＲＡＭ（記憶部）
４６  強制停止部（停止部）
４７  停止スイッチ
【図１】
2019154652.tif 000003
【図２】
2019154652.tif 000004
【図３】
2019154652.tif 000005
【図４】
2019154652.tif 000006
【図５】
2019154652.tif 000007
【図６】
2019154652.tif 000008
【図７】
2019154652.tif 000009